(57)【特許請求の範囲】
【請求項１】
幅方向両側にそれぞれ幅方向外側に向かって突出する凸部が設けられた扁平状の接続対象物を所定位置に挿入可能なコネクタ本体と、コネクタ本体内に互いに幅方向に間隔をおいて配置された複数の端子とを備え、接続対象物を厚さ方向が上下方向となるようにコネクタ本体内に挿入するようにしたコネクタにおいて、
前記コネクタ本体内に挿入される接続対象物が上方から載置される平面状の第１のガイド部と、
第１のガイド部の幅方向両側にそれぞれ設けられ、第１のガイド部の上面に沿ってコネクタ本体内に挿入される接続対象物の各凸部の幅方向への移動を規制する一対の第２のガイド部と、
第１のガイド部の幅方向両側にそれぞれ設けられ、第１のガイド部の上面に沿ってコネクタ本体内に挿入される接続対象物の各凸部の上方への移動を規制する一対の第３のガイド部と、
コネクタ本体に対して接続対象物の挿入方向に移動自在に設けられ、コネクタ本体側に移動することにより接続対象物と各端子とを圧接させるスライド部材とを備え、
前記第１、第２及び第３のガイド部をスライド部材に設けるとともに、
各第３のガイド部を、接続対象物の各凸部よりも先端側の部分が上下方向に挿通可能な間隔をおいて互いに第１のガイド部の幅方向に対向するように設け、
接続対象物を第１、第２及び第３のガイド部に沿ってコネクタ本体の前記所定位置に挿入した後、スライド部材をコネクタ本体側に移動することにより接続対象物と各端子とを圧接させるように構成した
ことを特徴とするコネクタ。
【請求項２】
前記各第２のガイド部は、接続対象物の幅方向両側に位置するように第１のガイド部の上面よりも上方に突出している
ことを特徴とする請求項１記載のコネクタ。
【請求項３】
前記各第３のガイド部は、接続対象物の上方に位置するように第２のガイド部から第１のガイド部の幅方向内側に向かって突出している
ことを特徴とする請求項２記載のコネクタ。
【請求項４】
前記各第２のガイド部は、第３のガイド部の存在しない部分を有し、第３のガイド部の存在しない部分を介して接続対象物を上方から第１のガイド部に載置可能に形成されている
ことを特徴とする請求項３記載のコネクタ。
【請求項５】
前記各第２のガイド部は、第３のガイド部の存在しない部分を第１のガイド部の前端側に有する
ことを特徴とする請求項４記載のコネクタ。
【発明の詳細な説明】
【技術分野】
【０００１】
本発明は、例えばフレキシブルプリント回路（ＦＰＣ）やフレキシブルフラットケーブル（ＦＦＣ）等を基板に接続するためのコネクタに関するものである。
【背景技術】
【０００２】
従来、この種のコネクタとしては、厚さ方向に可撓性を有する扁平状の接続対象物を所定位置に挿入可能なコネクタ本体と、コネクタ本体内に互いに幅方向に間隔をおいて配置された複数の端子と、コネクタ本体に対して接続対象物の挿入方向に移動自在に設けられたスライド部材とを備え、接続対象物を厚さ方向が上下方向となるようにスライド部材の上面に沿ってコネクタ本体内に挿入し、スライド部材をコネクタ本体側に移動させることにより、スライド部材によって接続対象物と各端子とを圧接させるようにしたものが知られている（例えば、特許文献１参照）。
【先行技術文献】
【特許文献】
【０００３】
【特許文献１】特開２００４−３４８９７４号公報
【発明の概要】
【発明が解決しようとする課題】
【０００４】
ところで、従来のコネクタでは、スライド部材をコネクタ本体から引き出し、接続対象物をスライド部材の上面に沿ってコネクタ本体内に挿入するようにしているが、ＦＰＣのような扁平状の接続対象物をコネクタ本体の横長の挿入口に挿入する場合、挿入時に接続対象物が幅方向や上下方向に位置ずれを生じやすく、接続対象物を常にコネクタ本体の適正な挿入位置に確実に挿入することが困難であった。特に、ＦＰＣやＦＦＣには各端子に接触する多数の電極が幅方向に高密度で配列されているため、例えば挿入時の位置ずれにより接続対象物がコネクタ本体の挿入口に対して斜めに挿入されると、接続対象物の電極によって端子同士が短絡し、通電状態ではショートを起こすおそれがあった。
【０００５】
本発明は前記問題点に鑑みてなされたものであり、その目的とするところは、接続対象物を常にコネクタ本体の適正な挿入位置に確実に挿入することのできるコネクタを提供することにある。
【課題を解決するための手段】
【０００６】
本発明は前記目的を達成するために、幅方向両側にそれぞれ幅方向外側に向かって突出する凸部が設けられた扁平状の接続対象物を所定位置に挿入可能なコネクタ本体と、コネクタ本体内に互いに幅方向に間隔をおいて配置された複数の端子とを備え、接続対象物を厚さ方向が上下方向となるようにコネクタ本体内に挿入するようにしたコネクタにおいて、前記コネクタ本体内に挿入される接続対象物が上方から載置される平面状の第１のガイド部と、第１のガイド部の幅方向両側にそれぞれ設けられ、第１のガイド部の上面に沿ってコネクタ本体内に挿入される接続対象物の各凸部の幅方向への移動を規制する一対の第２のガイド部と、第１のガイド部の幅方向両側にそれぞれ設けられ、第１のガイド部の上面に沿ってコネクタ本体内に挿入される接続対象物の各凸部の上方への移動を規制する一対の第３のガイド部と、コネクタ本体に対して接続対象物の挿入方向に移動自在に設けられ、コネクタ本体側に移動することにより接続対象物と各端子とを圧接させるスライド部材とを備え、前記第１、第２及び第３のガイド部をスライド部材に設けるとともに、各第３のガイド部を、接続対象物の各凸部よりも先端側の部分が上下方向に挿通可能な間隔をおいて互いに第１のガイド部の幅方向に対向するように設け、接続対象物を第１、第２及び第３のガイド部に沿ってコネクタ本体の前記所定位置に挿入した後、スライド部材をコネクタ本体側に移動することにより接続対象物と各端子とを圧接させるように構成している。                                                                       
【０００７】
これにより、接続対象物をコネクタ本体内に挿入する際、接続対象物が第１のガイド部に載置されるとともに、各第２のガイド部によって接続対象物の幅方向への移動が規制され、各第３のガイド部によって接続対象物の上方への移動が規制されることから、接続対象物がコネクタ本体の挿入位置に対して幅方向及び上下方向の何れの方向にも位置ずれを生ずることがない。
【発明の効果】
【０００８】
本発明によれば、接続対象物をコネクタ本体に挿入する際、接続対象物がコネクタ本体の挿入位置に対して幅方向及び上下方向の何れの方向にも位置ずれを生ずることがないので、接続対象物を常にコネクタ本体の適正な挿入位置に確実に挿入することができる。
【図面の簡単な説明】
【０００９】
【図１】本発明の一実施形態を示すコネクタの斜視図
【図２】フレキシブル回路の部分平面図
【図３】コネクタの正面図
【図４】コネクタの平面図
【図５】Ａ−Ａ線矢視方向断面図
【図６】Ｂ−Ｂ線矢視方向部分断面図
【図７】コネクタの要部斜視図
【図８】フレキシブル回路の接続工程を示すコネクタの斜視図
【図９】フレキシブル回路の接続工程を示すコネクタの斜視図
【図１０】フレキシブル回路の接続工程を示すコネクタの斜視図
【図１１】フレキシブル回路の接続工程を示すコネクタの斜視図
【図１２】フレキシブル回路の接続工程を示すコネクタの側面断面図
【発明を実施するための形態】
【００１０】
図１乃至図１２は本発明の一実施形態を示すものである。同図に示すコネクタは、接続対象物としてのフレキシブル回路を基板に接続するためのものである。
【００１１】
このコネクタは、フレキシブル回路１が挿入されるコネクタ本体１０と、コネクタ本体１０内に互いに幅方向に等間隔で配置された複数の端子２０と、コネクタ本体１０に対してフレキシブル回路１の挿入方向に移動自在に設けられたスライド部材３０とを備えている。
【００１２】
フレキシブル回路１は、いわゆるフレキシブルプリント回路（ＦＰＣ）からなり、その先端側の上面には複数の電極１ａが互いに幅方向に間隔をおいて設けられている。また、フレキシブル回路１の先端側の幅方向両側には、凹部１ｂ及び凸１ｃが先端側から順に幅方向一対ずつ設けられている。尚、接続対象物としては、フレキシブルフラットケーブル（ＦＦＣ）であってもよい。
【００１３】
コネクタ本体１０は合成樹脂の成型品からなり、前面側を開口した横長の箱状に形成されている。コネクタ本体１０は、上面部１１、底面部１２及び側面部１３からなり、その前面開口部はフレキシブル回路１が挿入される挿入口１０ａをなす。コネクタ本体１０の背面側には複数の端子孔１４が互いに幅方向に等間隔で設けられ、各端子孔１４には各端子２０がそれぞれ保持されるようになっている。各側面部１３にはそれぞれ前後方向に延びる長孔１３ａが設けられ、各長孔１３ａに押圧部材３０を係合するようになっている。
【００１４】
各端子２０は導電性の金属板からなり、コネクタ本体１０の各端子孔１４にそれぞれ保持されている。各端子２０は、互いに上下方向に間隔をおいて前方に二股状に延びる弾性片部２１及び固定片部２２を有し、各端子２０の後端には基板（図示せず）に接続される基板接続部２３が設けられている。
【００１５】
スライド部材３０は合成樹脂の成型品からなり、コネクタ本体１０に前後方向に移動自在に係合している。スライド部材３０は、コネクタ本体１０の前方に配置される本体部３１と、フレキシブル回路１を各端子２０の弾性片部２１に押圧するための押圧部３２と、コネクタ本体１０の各長孔１３ａに係合する幅方向一対の係合部３３と、コネクタ本体１０内に挿入されるフレキシブル回路１を載置する平面状の第１のガイド部３４と、第１のガイド部３４の上面に沿ってコネクタ本体１０内に挿入されるフレキシブル回路１の幅方向への移動を規制する幅方向一対の第２のガイド部３５と、第１のガイド部３４の上面に沿ってコネクタ本体１０内に挿入されるフレキシブル回路１の上方への移動を規制する幅方向一対の第３のガイド部３６とから構成されている。
【００１６】
本体部３１は横長扁平状に形成され、その幅方向両端を把持して前後方向に移動可能になっている。押圧部３２は本体部３１からコネクタ本体１０内に向かって延設され、先端側に向かって厚さ寸法が徐々に小さくなるように形成されている。各係合部３３は本体部３１の幅方向両側からコネクタ本体１０側に向かって延設され、それぞれコネクタ本体１０の各長孔１３ａに前後方向に移動自在に係合している。第１のガイド部３４は本体部３１の上面に設けられ、押圧部３２の上面と連続した平面をなすように形成されている。各第２のガイド部３５はそれぞれ本体部３１の幅方向両側に本体部３１の前端から後端に亘って設けられ、第１のガイド部３４の上面よりも上方に突出するように形成されている。各第３のガイド部３６は各第２のガイド部３５の対向面にそれぞれ設けられ、第２のガイド部３５の側面上部から第１のガイド部３４の幅方向内側に向かって突出するように形成されている。この場合、第３のガイド部３６は、第１のガイド部３４の上面との間にフレキシブル回路１の厚さ寸法よりも大きい間隔Ｈをおいた高さ位置に設けられ、フレキシブル回路１の凸１ｃの幅寸法Ｗ1 よりも長い幅寸法Ｗ2 に形成されている。各第３のガイド部３６は、第２のガイド部３５の前後方向（フレキシブル回路１の挿入方向）の長さＬ1 よりも短い長さＬ2 に形成されている。これにより、第２のガイド部３５は、第３のガイド部３６の存在しない部分としての切り欠き部３７を第１のガイド部３４の前端側に有し、切り欠き部３７を介してフレキシブル回路１を上方から第１のガイド部３４に載置可能になっている。
【００１７】
以上のように構成されたコネクタにおいて、フレキシブル回路１をコネクタに接続する場合は、図８に示すように押圧部材３０を前方に引き出し、図９及び図１２(a) に示すようにフレキシブル回路１をスライド部材３０の第１のガイド部３４の上面に載置する。その際、フレキシブル回路１の凸１ｃを切り欠き部３７の上方に位置させ、凸１ｃが切り欠き部３７を通過するようにフレキシブル回路１を上方から第１のガイド部３４に載置する。次に、図１０及び図１２(b) に示すように、フレキシブル回路１を第１のガイド部３４の上面に沿ってコネクタ本体１０の挿入口１０ａに挿入する。その際、各第２のガイド部３５によってフレキシブル回路１の幅方向への移動が規制されることから、フレキシブル回路１がコネクタ本体１０への挿入位置に対して幅方向に位置ずれを生ずることがない。また、フレキシブル回路１を第１のガイド部３４の上面に沿ってコネクタ本体１０側に挿入する際、図１２(b) に示すように、フレキシブル回路１の凸１ｃが第３のガイド部３６の下方を移動することにより、各第３のガイド部３６によってフレキシブル回路１の凸１ｃの上方への移動が規制されることから、フレキシブル回路１がコネクタ本体１０の挿入位置に対して上下方向に位置ずれを生ずることがない。
【００１８】
次に、フレキシブル回路１をコネクタ本体１０内に挿入した後は、図１１及び図１２(c) に示すように、スライド部材３０をコネクタ本体１０側に向かって移動させると、各端子２０の固定片部２２とフレキシブル回路１との間にスライド部材３０の押圧部３２が圧入され、押圧部３２によってフレキシブル回路１が各端子２０の弾性片部２１側に押圧される。これにより、フレキシブル回路１の各電極１ａと各端子２０の弾性片部２１が互いに圧接し、フレキシブル回路１が各端子２０に接続される。
【００１９】
このように、本実施形態のコネクタによれば、スライド部材３０の上面に、コネクタ本体１０内に挿入されるフレキシブル回路１を載置する平面状の第１のガイド部３４を設けるとともに、第１のガイド部３４の幅方向両側には、第１のガイド部３４の上面に沿ってコネクタ本体１０内に挿入されるフレキシブル回路１の幅方向への移動を規制する幅方向一対の第２のガイド部３５と、フレキシブル回路１の上方への移動を規制する幅方向一対の第３のガイド部３６とを設けたので、フレキシブル回路１がコネクタ本体１０への挿入位置に対して幅方向及び上下方向の何れの方向にも位置ずれを生ずることがなく、フレキシブル回路１を常にコネクタ本体１０の適正な挿入位置に確実に挿入することができる。
【００２０】
この場合、各第２のガイド部３５は、フレキシブル回路１の幅方向両側に位置するように第１のガイド部３４の上面よりも上方に突出しているので、フレキシブル回路１の幅方向への移動を確実に規制することができる。
【００２１】
また、各第３のガイド部３６は、フレキシブル回路１の上方に位置するように第２のガイド部３５から第１のガイド部３４の幅方向内側に向かって突出しているので、フレキシブル回路１の上方への移動を確実に規制することができる。
【００２２】
更に、各第２のガイド部３５は、第３のガイド部３６の存在しない部分としての切り欠き部３７を有し、切り欠き部３７を介してフレキシブル回路１の凸１ｃを上方から第１のガイド部３４に載置可能に形成されているので、フレキシブル回路１を第３のガイド部３６に妨げられることなく上方から第１のガイド部３４に容易に載置することができる。
【００２３】
この場合、各第２のガイド部３５は、切り欠き部３７を第１のガイド部３４の前端側に有しているので、フレキシブル回路１の先端から凸１ｃまでの間を長くすることができる。これにより、切り欠き部３７にフレキシブル回路１の凸１ｃを上方から挿通する際、フレキシブル回路１と第１のガイド部３４との接触面を大きくすることができ、第１のガイド部３４へのフレキシブル回路１の載置をより一層容易に行うことができる。
【符号の説明】
【００２５】
１…フレキシブル回路、１０…コネクタ本体、２０…端子、３０…スライド部材、３４…第１のガイド部、３５…第２のガイド部、３６…第３のガイド部、３７…切り欠き部。
【図１】
0005847400.tif 000002
【図２】
0005847400.tif 000003
【図３】
0005847400.tif 000004
【図４】
0005847400.tif 000005
【図５】
0005847400.tif 000006
【図６】
0005847400.tif 000007
【図７】
0005847400.tif 000008
【図８】
0005847400.tif 000009
【図９】
0005847400.tif 000010
【図１０】
0005847400.tif 000011
【図１１】
0005847400.tif 000012
【図１２】
0005847400.tif 000013